(57)【要約】【課題】  ロータリ農作業機に取付けられるコンプレッションロッドのコンプレッションガイドの交換を容易にし、また、該ガイドの回動支点を改良する。【解決手段】  コンプレッションロッド１３を支持するコンプレッションロッドブラケット１１の先端部に、コンプレッションロッド１３を摺動自在に支持したコンプレッションガイド１４を、両側からネジ部材１５により取付け、コンプレッションロッドブラケット１１に対してコンプレッションガイド１４及びコンプレッションロッド１３を着脱可能に支持する。ネジ部材１５，１９は、コンプレッションロッドブラケット１１に対するコンプレッションガイド１４の取付けと、コンプレッションロッドブラケット１１に対してコンプレッションロッド１３と共にコンプレッションガイド１４が回動する支点と、を兼ねている。【選択図】図１
2005124468.tif 000002
【特許請求の範囲】
【請求項１】
ロータリ農作業機に取付けられるコンプレッションロッドであって、
コンプレッションロッドを支持するコンプレッションロッドブラケットの先端部に、コンプレッションロッドを摺動自在に支持したコンプレッションガイドを、両側からネジ部材により取付け、コンプレッションロッドブラケットに対してコンプレッションガイド及びコンプレッションロッドを着脱可能に支持したことを特徴とするコンプレッションロッド支持部の取付け構造。
【請求項２】
前記ネジ部材は、コンプレッションロッドブラケットに対するコンプレッションガイドの取付けと、コンプレッションロッドブラケットに対してコンプレッションロッドと共にコンプレッションガイドが回動する支点と、を兼ねていることを特徴とする請求項１記載のコンプレッションロッド支持部の取付け構造。
【発明の詳細な説明】
【技術分野】
【０００１】
本発明は、ロータリ農作業機に取付けられるコンプレッションロッドを、ネジ部材により着脱可能に支持し、また、該ネジ部材がコンプレッションロッドの回動支点を兼ねているコンプレッションロッド支持部の取付け構造に関する。
【背景技術】
【０００２】
従来、リヤカバー３の前端縁をロータリカバー２に枢着し、該リヤカバー３の中央部にスプリング１１を巻装したリヤカバー支持杆（コンプレッションロッド）７の下端を枢着し、該コンプレッションロッド７の上下弾発機構を有したリヤカバー支持部１３の上部を尾輪支持横杆５に設けたＵ字状ブラケット１４にピン１５，１５を介して支持すべく構成したロータリ部のリヤカバー取付構造において、Ｕ字状ブラケット１４とリヤカバー支持部１３とを、ガタの生起する状態で連設してコンプレッションロッド７の取付けを行う構成が、特許文献１に開示されている。
【０００３】
【特許文献１】実開昭５６−９３１０９号公報
【０００４】
また、従来周知の技術として、図３（ａ）、（ｂ）及び図４（ａ）、（ｂ）に示すものが使用されている。即ち、図３（ａ）に示すロータリ中耕装置ａは、左右水平方向に伸びる本体フレームｂ及び伝動軸ｃに対して、複数のロータリユニットｄが左右水平方向にスライド可能に支持され、ロータリユニットｄの作業間隔を調節可能に支持している。各ロータリユニットｄは、本体フレームｂに対し左右方向へのスライド移動、及びスライド移動した位置に固定可能に支持され、後方斜め下方に向け延びる支持フレームｅの後端部に前記伝動軸ｃに対し左右スライド可能に支持すると共に、チェン伝動ケースｆの上部を前後回動可能に支持している。このチェン伝動ケースｆの上部を左右方向に貫通している伝動軸ｃと、チェン伝動ケースｆの下部に軸支されたロータリ駆動軸ｇとの間に、チェン伝動系が介設されている。ロータリ駆動軸ｇの外周には複数の耕耘爪ｈが放射方向に取付けられ、アップカット方向に回転して中耕作業を行う中耕ロータを構成している。該中耕ロータの上方はロータリカバーｉにより覆われ、その内側に砕土レーキｊが設けられている。
【０００５】
前記支持フレームｅには、コンプレッションロッドブラケットｋの先端部が支持されて後方やや斜め上方に延び、その後端部とチェン伝動ケースｆの上下中間部に後方向け突出するように設けたチェンケースブラケットｌとの間に、コンプレッションロッドｍが介装されている。このコンプレッションロッドｍは、下端部がチェンケースブラケットｌに枢着され、上端部にＵ字状をし、ピンｏを挿通したコンプレッションガイドｎを摺動可能に嵌挿し、このコンプレッションガイドｎの両側を、支持ピンｐ、ｐによりコンプレッションロッドブラケットｋの後端部に前後回動可能に支持している。コンプレッションガイドｎの上方と下方のコンプレッションロッドｍの外周部にコンプレッションバネｑ、ｑを巻装している。そして、ロータリユニットｄは、本体フレームｂ及び伝動軸ｃに対して左右水平方向にスライドさせて固定することで作業間隔が調節可能であり、中耕ロータによる中耕作業が行われるとき、チェン伝動ケースｆがコンプレッションロッドｍにより前後回動可能に弾持されて、安定した中耕作業を行うことができる。
【０００６】
図４（ａ）、（ｂ）に示すものは、前記図３（ａ）、（ｂ）に示されたものと同様の伝動軸ｃに対して左右方向へのスライド移動、及びスライド移動した位置に固定可能に支持されたスライド・固定部材ｒに先端部が固定されたコンプレッションロッドブラケットｋの後端側に二股の支持板ｓ，ｓを形成し、この支持板ｓ，ｓ間に、コンプレッションロッドｍに対して摺動可能に嵌挿したコンプレッションガイドｎの両側を、支持ピンｐ、ｐにより前後回動可能に支持したものである。コンプレッションガイドｔの上方と下方のコンプレッションロッドｍの外周部には、コンプレッションバネｑ、ｑを巻装している。その他の構成は、図示省略するが前記図３（ａ）、（ｂ）に示されたものと同様である。
【発明の開示】
【発明が解決しようとする課題】
【０００７】
上記図３（ａ）、（ｂ）、図４（ａ）、（ｂ）に示す従来例に開示されているコンプレッションロッド支持部は、コンプレッションガイドｎ，ｔに、コンプレッションロッドｍを摺動自在に嵌挿し、該コンプレッションガイドｎ，ｔに両側から貫通穴を開け、コンプレッションロッドブラケットｋ、支持板ｓに、支持ピンｐを溶接により固着してコンプレッションガイドｎ，ｔを枢支している。コンプレッションロッドｍに巻装されているコンプレッションバネｑは作業ロータの作業中の衝撃を和らげるが、コンプレッションロッドｍとコンプレッションガイドｎ，ｔとは、絶えず接触しながら摺動するので摩耗が激しい。コンプレッションロッドｍとコンプレッションガイドｎ，ｔの摩耗が進んでこれらを交換するには、支持ピンｐの溶接をはずし、再び溶接をし直す、またはコンプレッションロッドブラケットｋを丸ごと交換する、といった面倒な手数と時間を要する、という問題点があった。
【０００８】
本発明は、コンプレッションロッドブラケットに対してコンプレッションガイド及びコンプレッションロッドをネジ部材により着脱可能に支持にして、コンプレッションガイド及びコンプレッションロッドの交換を容易に行えるようにし、上記従来の問題点を解決することを目的になされたものである。
【課題を解決するための手段】
【０００９】
上記の目的を達成するために本発明は、
Ａ．ロータリ農作業機に取付けられるコンプレッションロッドであって、
コンプレッションロッドを支持するコンプレッションロッドブラケットの先端部に、コンプレッションロッドを摺動自在に支持したコンプレッションガイドを、両側からネジ部材により取付け、コンプレッションロッドブラケットに対してコンプレッションガイド及びコンプレッションロッドを着脱可能に支持したことを特徴とする。
Ｂ．前記ネジ部材は、コンプレッションロッドブラケットに対するコンプレッションガイドの取付けと、コンプレッションロッドブラケットに対してコンプレッションロッドと共にコンプレッションガイドが回動する支点と、を兼ねていることを特徴とする。
【発明の効果】
【００１０】
イ．前記Ａ．（請求項１）の構成により、コンプレッションガイド及びコンプレッションロッドが摩耗して交換するときは、ネジ部材を緩めてコンプレッションロッドブラケットからコンプレッションガイド及びコンプレッションロッドを取り外して交換し、ネジ部材によりコンプレッションロッドブラケットに対し容易に、かつ短時間で取付けることができる。
ロ．前記Ｂ．（請求項２）の構成により、ネジ部材が、コンプレッションロッドブラケットに対するコンプレッションガイドの取付けと、コンプレッションガイドが回動する支点とを兼ねていることで、部品の簡素化、コストダウンを図ることができる。
【発明を実施するための最良の形態】
【００１１】
以下、本発明を実施するための最良の形態について、添付の図面を参照しながら具体的に説明する。
図１の（ａ）は、本発明によるコンプレッションロッド支持部の取付け構造を採用したロータリ中耕装置の第１実施例の側面図、（ｂ）は同要部の平面図である。図２の（ａ）は、本発明によるコンプレッションロッド支持部の取付け構造を採用したロータリ中耕装置の第２実施例の側面図、（ｂ）は、同要部の平面図である。
【００１２】
図１（ａ）において、符号１はロータリ中耕装置である。このロータリ中耕装置１は、左右水平方向に伸びる本体フレーム２及び伝動軸３を備えており、該本体フレーム２及び伝動軸３に対して複数のロータリユニット４を、左右水平方向にスライド可能に支持していて、ロータリユニット４の作業間隔を調節可能にしている。各ロータリユニット４は、本体フレーム２に対し左右方向へのスライド移動、及びスライド移動した位置に固定可能に支持され、後方斜め下方に向け延びる支持フレーム５の後端部に、前記伝動軸３に対し左右スライド可能に支持すると共に、チェン伝動ケース６の上部を前後回動可能に支持している。このチェン伝動ケース５の上部を前記伝動軸が左右方向に貫通している。この伝動軸３と、チェン伝動ケース５の下部に軸支されたロータリ駆動軸７との間に、チェン伝動系が介設されている。ロータリ駆動軸７の外周には複数の耕耘爪８が放射方向に取付けられ、アップカット方向に回転して中耕作業を行う中耕ロータを構成している。該中耕ロータの上方はロータリカバー９により覆われ、その内側に砕土レーキ１０が設けられている。
【００１３】
前記支持フレーム５には、コンプレッションロッドブラケット１１の先端部が支持されて後方やや斜め上方に延び、その後端部とチェン伝動ケース６の上下中間部に後方向け突出するように設けたチェンケースブラケット１２との間に、コンプレッションロッド１３が介装されている。このコンプレッションロッド１３は、下端部がチェンケースブラケット１２に枢着され、上端部にコンプレッションガイド１４を上下摺動可能に嵌挿し、このコンプレッションガイド１４の左右両側を、図１（ｂ）に示すようにボルト（ネジ部材）１５，１５及びカラー２０を介してコンプレッションロッドブラケット１１の後端部に前後回動可能に支持している。コンプレッションガイド１４の上方と下方のコンプレッションロッド１３の外周部には、コンプレッションバネ１６、１６を巻装している。なお、ボルト１５，１５を段付ボルトにしてカラー２０を省略するようにしてもよい。
【００１４】
このような構成を有する第１実施例のロータリ中耕装置１においては、ロータリユニット４の作業間隔を調節するときは、本体フレーム２及び伝動軸３に対して支持フレーム５を左右水平方向にスライドさせ、スライドさせた位置で固定することにより行われる。ロータリユニット４が中耕作業を行うときは、伝動軸３の回転によりチェン伝動系を介してロータリ駆動軸７が駆動回転し、耕耘爪８によりアップカットの中耕作業が行われる。中耕された土壌は耕耘爪８によりカバー９に沿って後方に放擲される際に、砕土レーキ１０に当たって砕土される。
【００１５】
ロータリユニット４が中耕作業中に中耕ロータに過負荷が掛かったときは、コンプレッションロッド１３のコンプレッションバネ１６が圧縮されて、コンプレッションロッド１３はコンプレッションガイド１４をボルト１５，１５を中心に前後に回動させながら上方に押し上げられ、チェン伝動ケース５は伝動軸３を中心に後方に向け回動して中耕ロータを後方上側に向け移動させて過負荷が解消される。中耕ロータの過負荷が解消すると、圧縮されたコンプレッションバネ１６の弾発力によりコンプレッションロッド１３がコンプレッションガイド１４をボルト１５，１５を中心に回動させながら元の位置に戻り、チェン伝動ケース６を前方に向け回動して中耕ロータを元の位置に戻して安定した中耕作業が継続される。
【００１６】
上記のようにコンプレッションロッド１３はコンプレッションガイド１４に摺接しながら頻繁に上下移動するので、コンプレッションロッド１３及びコンプレッションガイド１４は摩耗しやすくなる。コンプレッションロッド１３及びコンプレッションガイド１４が摩耗して交換を要するときは、ボルト１５，１５を緩めて抜き取ることにより、コンプレッションロッド１３及びコンプレッションガイド１４をコンプレッションロッドブラケット１１から簡単に取り外すことができる。そして、これらを交換してボルト１５，１５によりコンプレッションガイド１４をコンプレッションロッドブラケット１１に取付けることにより、簡単に修復できる。
【００１７】
図２（ａ）及び（ｂ）に示す本発明の第２実施例のものは、図１（ａ）、（ｂ）に示す第１実施例のものと、コンプレッションロッドブラケット１１に対するコンプレッションロッド１３及びコンプレッションガイド１４の取付け構造が異なるほかは、第１実施例のものと同様の構成及び作用を有している。即ち、第２実施例のものでは、コンプレッションロッドブラケット１１の後端部に、左右一対の支持アーム１７，１７をボルト・ナット１８，１８により取付け、この支持アーム１７，１７間に、支持ピン１９，１９を介してコンプレッションロッド１３を挿通したコンプレッションガイド１４を前後回動可能に支持したものである。
【００１８】
上記第２実施例のロータリ中耕装置１においては、ロータリユニット４の作業間隔の調節、ロータリユニット４による中耕作業などは、第１実施例のものと同様に行われる。コンプレッションロッド１３及びコンプレッションガイド１４が摩耗して交換を要するときは、ボルト・ナット１８，１８により支持アーム１７，１７を取り外してコンプレッションロッド１３及びコンプレッションガイド１４を交換することができる。また、支持ピン１９をネジ式にすることで、支持ピン１９，１９を緩めて抜き取ることにより、コンプレッションロッド１３及びコンプレッションガイド１４を交換するようにしてもよい。
【産業上の利用可能性】
【００１９】
本発明のコンプレッションロッド支持部の取付け構造により、コンプレッションロッドを備えたロータリ農作業機において、コンプレッションガイド及びコンプレッションロッドが摩耗して交換するときに、ネジ部材により簡単容易に、かつ短時間で着脱することができる。
【図面の簡単な説明】
【００２０】
【図１】（ａ）は本発明によるコンプレッションロッド支持部の取付け構造を採用したロータリ中耕装置の第１実施例の側面図、（ｂ）は同要部の平面図である。
【図２】（ａ）は本発明によるコンプレッションロッド支持部の取付け構造を採用したロータリ中耕装置の第２実施例の側面図、（ｂ）は同要部の平面図である。
【図３】（ａ）は従来のコンプレッションロッド支持部の取付け構造を示すロータリ中耕装置の側面図、（ｂ）は同要部の平面図である。
【図４】（ａ）は従来のコンプレッションロッド支持部の取付け構造の他の実施例を示すロータリ中耕装置の部分側面図、（ｂ）は同要部の平面図である。
【符号の説明】
【００２１】
１  ロータリ中耕装置
２  本体フレーム
３  伝動軸
４  ロータリユニット
５  支持フレーム
６  チェン伝動ケース
７  ロータリ駆動軸
８  耕耘爪
９  ロータリカバー
１０  砕土レーキ
１１  コンプレッションロッドブラケット
１２  チェンケースブラケット
１３  コンプレッションロッド
１４  コンプレッションガイド
１５  ボルト（ネジ部材）
１６  コンプレッションバネ
１７  支持アーム
１８  ボルト・ナット
１９  支持ピン（ネジ部材）
２０  カラー
【図１】
2005124468.tif 000003
【図２】
2005124468.tif 000004
【図３】
2005124468.tif 000005
【図４】
2005124468.tif 000006